(57)【特許請求の範囲】
【請求項１】
表示領域と該表示領域に表示されている表示内容の表示を電気的、磁気的に変更可能な表示部と、
可視光領域の光を透過させる太陽電池部と、
前記表示領域のうちのいずれの領域が操作されたか否かを検出すると共に、可視光領域の光を透過させる入力部とを含む操作パネルと、
前記太陽電池部が発生した電力を蓄積する電力蓄積部と、
前記太陽電池部から前記電力蓄積部への電力の供給を停止・遮断する第１電力供給スイッチと、
電子機器本体から前記電力蓄積部への電力の供給を停止・遮断する第２電力供給スイッチと、
前記電力蓄積部の電力蓄積状態と電力消費状態とを検出する電力検出部として機能すると共に、その検出結果に基づいて前記第１電力供給スイッチと前記第２電力供給スイッチとを制御する制御部とを有し、
前記表示部の表示面側に前記太陽電池部と前記入力部とが層をなすようにして配置され、該太陽電池部の発生電力により前記表示部の表示変更と前記入力部への操作の検出との少なくとも一方を実行可能とされ、
前記制御部は、前記電力蓄積部が前記操作パネルを動作させるに足りる電力状態であるときは前記第１電力供給スイッチのみ通電状態とし、
前記電力蓄積部が前記操作パネルを動作させるに足りる電力状態でないときは前記第２の電力供給スイッチも通電状態とし、
前記電力蓄積部が前記操作パネルを動作させるに足りる電力状態でかつ電力消費が少ないときは前記第１、第２の電力供給スイッチを遮断状態とすることを特徴とする電子機器。
【請求項２】
前記表示部の表示面側から、前記太陽電池部と前記入力部とがこの順で層をなすように配置されていることを特徴とする請求項１に記載の電子機器。
【請求項３】
前記表示部の表示面側から、前記入力部と前記太陽電池部とがこの順で層をなすように配置されていることを特徴とする請求項１に記載の電子機器。
【請求項４】
前記表示領域に関する情報と前記表示領域に表示すべき表示内容に関する情報とからなる表示状態情報を保持する記憶部と、
前記入力部による前記操作の検出と、前記表示状態情報とに基づいて前記表示部の表示状態を変更する表示制御部とを更に有し、
該表示制御部は、現在表示されている表示領域の表示内容に対応する操作を前記入力部により検出して前記表示状態情報に基づいて前記表示部の表示状態を変更することを特徴とする請求項１ないし請求項３のいずれか１項に記載の電子機器。
【請求項５】
前記表示部は、ＬＣＤによる第１表示部と電子ペーパーによる第２表示部とからなり、
前記操作パネルの動作状態では前記第１表示部と前記第２表示部とを動作させ、該操作パネルの待機状態では前記第２表示部のみの表示を行い、該第２表示部の入力部により操作者の操作を検出して前記操作パネルの動作状態に移行することを特徴とする請求項１ないし請求項４のいずれか１項に記載の電子機器。
【請求項６】
請求項１ないし請求項５のいずれか１項に記載の電子機器を搭載したことを特徴とする画像処理装置。
【請求項７】
請求項１ないし請求項５のいずれか１項に記載の電子機器を搭載したことを特徴とする電子計算装置。
【請求項８】
表示領域と該表示領域に表示されている表示内容の表示を電気的、磁気的に変更可能な表示部と、
可視光領域の光を透過させる太陽電池部と、
前記表示部の表示領域のいずれの領域が操作者により操作されたか否かを検出する入力部を含む操作パネルと、
前記太陽電池部が発生した電力を蓄積する電力蓄積部と、
前記太陽電池部から前記電力蓄積部への電力の供給を停止・遮断する第１電力供給スイッチと、
電子機器本体から前記電力蓄積部への電力の供給を停止・遮断する第２電力供給スイッチと、
前記電力蓄積部の電力蓄積状態と電力消費状態とを検出する電力検出部として機能すると共に、その検出結果に基づいて前記第１電力供給スイッチと前記第２電力供給スイッチとを制御する制御部と、
前記入力部による前記操作の検出と、表示状態情報とに基づいて前記表示部の表示状態を変更する表示制御部とを有し、
前記制御部は、前記電力蓄積部が前記操作パネルを動作させるに足りる電力状態であるときは前記第１電力供給スイッチのみ通電状態とし、
前記電力蓄積部が前記操作パネルを動作させるに足りる電力状態でないときは前記第２の電力供給スイッチも通電状態とし、
前記電力蓄積部が前記操作パネルを動作させるに足りる電力状態でかつ電力消費が少ないときは前記第１、第２の電力供給スイッチを遮断状態とし、
前記表示部の表示面側に前記太陽電池部が配置され、前記電力蓄積部の電力により前記表示制御部が動作されることを特徴とする表示装置。
【請求項９】
表示領域と該表示領域に表示されている表示内容の表示を電気的、磁気的に変更可能な表示部と、
可視光領域の光を透過させる太陽電池部と、
前記表示部の表示領域のいずれの領域が操作者により操作されたか否かを検出すると共に、可視光領域の光を透過させる入力部を含む操作パネルと、
前記太陽電池部が発生した電力を蓄積する電力蓄積部と、
前記太陽電池部から前記電力蓄積部への電力の供給を停止・遮断する第１電力供給スイッチと、
電子機器本体から前記電力蓄積部への電力の供給を停止・遮断する第２電力供給スイッチと、
前記電力蓄積部の電力蓄積状態と電力消費状態とを検出する電力検出部として機能すると共に、その検出結果に基づいて前記第１電力供給スイッチと前記第２電力供給スイッチとを制御する制御部と、
前記入力部による前記操作の検出と、表示状態情報とに基づいて前記表示部の表示状態を変更する表示制御部とを有し、
前記制御部は、前記電力蓄積部が前記操作パネルを動作させるに足りる電力状態であるときは前記第１電力供給スイッチのみ通電状態とし、
前記電力蓄積部が前記操作パネルを動作させるに足りる電力状態でないときは前記第２の電力供給スイッチも通電状態とし、
前記電力蓄積部が前記操作パネルを動作させるに足りる電力状態でかつ電力消費が少ないときは前記第１、第２の電力供給スイッチを遮断状態とし、
前記表示部の表示面側に前記太陽電池部と前記入力部とが層をなすように配置され、前記電力蓄積部の電力により前記表示制御部が動作されることを特徴とする表示装置。
【請求項１０】
前記表示部は電子ペーパーであることを特徴とする請求項８又は請求項９に記載の表示装置。
【発明の詳細な説明】
【技術分野】
【０００１】
本発明は、複写機等の画像形成装置や画像処理装置の操作パネル、携帯電話等の操作パネルに関し、すなわち、情報の入出力を行う操作パネルを備えた電子機器に関し、画像処理装置、電子計算装置等に用いるのに好適な電子機器に関する。
【背景技術】
【０００２】
従来から、電子機器としていわゆる電卓の液晶表示装置に太陽電池を用いたものが知られている（例えば、特許文献１参照。）。
この従来の液晶表示装置によれば、充電手段等を用いなくとも、家庭における照明程度の明るさがあれば、太陽電池が発生する電力を用いて、計算機能、表示機能を実行することが可能である。
【０００３】
この従来のいわゆる電卓１では、図１に示すように、その入力部（操作部）２と、太陽電池部３と、表示部４とがそれぞれ重ならないように配置されており、太陽電池を組み込んだ表示装置では、太陽電池が可視光を吸収して電力を生成するために、太陽電池部３と表示部４と重ねて配置することができず、配置スペース上の制約がある。
【発明の概要】
【発明が解決しようとする課題】
【０００４】
一般的に、太陽電池を用いての発電の際に、大きな電力を得るためには、可能な限り広い面積の太陽電池が必要である。
ところが、可視光を吸収して電力を生成するいわゆる光透過性を有しない太陽電池では、表示部４や操作部２を太陽電池部３と重ね合わせて配置することはできず、広い面積を確保しようとすると、太陽電池部３それ自体の占有面積が大きくなり、必然的に操作パネルや表示装置を用いた電子機器が大型化する。また、電子機器のデザイン上の制約も受ける。
【０００５】
その一方、単純消費型の電池（アルカリ乾電池等）を用いれば、大きな電力を得る場合であっても大型化の懸念はないが、地球環境の問題、エネルギー問題に着目した場合、単純消費型の電池では、将来的に廃棄物処理を行わなければならないという大問題があり、これに対して、充電型電池を用いる場合には外部電源から電力の供給を受けて充電しなければならず、エネルギー節約の観点から問題がある。
【０００６】
本発明は、上記事情を総合勘案して為されたもので、光透過性を有する太陽電池を電力生成に用いることにより、太陽電池部と表示部とを入力部に重ね合わせて配置することを可能にして、操作パネル全体又は表示装置全体の大型化を図らなくとも、従来よりも大きな電力を生成することが可能な電子機器、表示装置及びこれを用いた画像処理装置、電子計算装置を提供することにある。
【課題を解決するための手段】
【０００７】
本発明は、太陽電池部の太陽電池に光透過性のものを用いることにより、入力部又は表示部に重ね合わせて太陽電池部を配置する構成としたことを特徴とする。
【発明の効果】
【０００８】
本発明によれば、光透過性を有する太陽電池を電力生成に用いることにより、太陽電池部と表示部とを入力部に重ね合わせて配置することを可能にして、操作パネル全体又は表示装置全体の大型化を図らなくとも、従来よりも大きな電力を生成することが可能な電子機器、表示装置及びこれを用いた画像処理装置、電子計算装置を提供できる。
また、デザイン上の自由度も向上し、更には、地球環境の問題、エネルギー問題の解決も図ることができる。
【図面の簡単な説明】
【０００９】
【図１】図１は従来の電子機器の液晶表示装置の一例を示す平面図である。
【図２】図２は本発明に係る画像形成装置の一例を示す外観図である。
【図３】図３は図２に示す操作パネル部に設けられていた操作パネルの一例を示す配置図である。
【図４】図４は図２に示す操作パネル部に設けられている本発明に係る操作パネルの一例を示す配置図である。
【図５】図５は本発明の実施例１に係る操作パネル部の断面図であって、図４のＡ−Ａ線に沿う断面図である。
【図６】図６は本発明の実施例２に係る操作パネル部の断面図であって、図４のＡ−Ａ線に沿う断面図である。
【図７】図７は本発明の実施例３に係る操作パネル部の断面図ある。
【図８】図８は本発明の実施例４に係る操作パネル部の断面図ある。
【図９】図９は本発明の実施例５に係る操作パネル部の断面図ある。
【図１０】図１０は本発明の実施例６に係る操作パネル部の断面図ある。
【図１１】図１１は本発明の実施例７に係る操作パネル部の断面図ある。
【図１２】図１２は本願発明の実施例８に係る説明図であって、図１２（ａ）は本願発明に係る操作パネルを電子卓上計算装置（電卓）に適用した実施例を示す平面図であり、図１２（ｂ）は図１２（ａ）のＢ−Ｂ線に沿う断面図である。
【図１３】図１３は図２に示す画像形成装置に設けられた操作パネルを含む電子機器のブロック回路図である。
【図１４】図１４は図１３に示すブロック回路の作用を説明するためのフローチャートである。
【図１５】図１５は本発明の実施例に係る操作パネルを電子書籍に適用した例を示す説明図であって、表カバー体と裏カバー体とを中央連結部を介して見開き状態として示した図である。
【図１６】図１６は図１５のＣ−Ｃ線に沿う断面図である。
【図１７】図１７は図１５のＣ−Ｃ線に沿う断面図で断面された電子書籍の他の実施例を示す説明図である。
【発明を実施するための形態】
【実施例】
【００１０】
図２は本発明に係る画像処理装置（画像形成装置）としての複写機の全体構成を示す外観図である。
この図２において、符号１１は画像処理装置（ＭＦＰ（Multi Function Printer））機を示している。画像処理装置１１は、給紙トレイ部１２、プリンタ部１３、排紙トレイ部１４、操作パネル部１５、スキャナ部１６、オートドキュメントフィーダー部（ＡＤＦ部）１７から大略構成されている。
【００１１】
従来の操作パネル部１５は、図３に示すように、筐体部１８、押しボタン等の機械的スイッチ部１９、２０、タッチパネル式のＬＣＤ表示部２１から大略構成されている。
この図２には、ＬＣＤ表示部２１に各種のファンクションスイッチが英文字で表示されている状態が示されている。
【００１２】
この図３に示す状態で、機械的スイッチ部１９のコピーボタン、プリンタボタン等が押圧選択されると、ＬＣＤ表示部２１の表示状態が変化し、印刷サイズの選択、カラー/モノクロの選択、拡大/縮小の選択ボタン等の表示内容に変更される。
このＬＣＤ表示部２１の表示内容に示されている選択ボタンに操作者が触れると、画像処理装置１１がその内容に応じた処理を実行可能な状態とされる。
また、例えば、機械的スイッチ部２０のテンキーを操作すると、印刷枚数等がＬＣＤ表示部２１に入力値として表示される。
【００１３】
この発明の実施例では、例えば、図４に示すように、操作パネル部１５は全てタッチパネル式の液晶表示部（ＬＣＤ表示部）から構成されている。この操作パネル部１５は、左操作パネル部２２、右操作パネル部２３、中央操作パネル部２４からなっている。ここでは、説明の便宜上、左操作パネル部２２は機械的スイッチ部１９の機能に対応させ、右操作パネル部２３は機械的スイッチ部２０の機能に対応させ、中央操作パネル部２４はＬＣＤ表示部２１の機能に対応させているが、これに限られるものではない。
以下、本発明に係る操作パネル部１５の実施例を詳細に説明する。
【００１４】
（実施例１）
筐体部１８には、図５に示すように、液晶型の表示部２５が設けられている。この表示部２５の表示面側には太陽電池部２６が設けられている。太陽電池部２６の上面には、入力部２７が設けられている。
太陽電池部２６には、いわゆる透明太陽電池を用いる。この透明太陽電池は、酸化物ワイドバンドギャップ半導体を用いて製作可能と言われており、例えば、可視光の透過率が５０％程度で紫外光領域（波長350〜450nm）の光により発電可能な太陽電池が製作されている（産業技術総合研究所のＵＲＬ参照）。
【００１５】
この透明太陽電池の紫外光領域の発電効率は２〜３％と言われ、従来の可視光非透過性の太陽電池の発電効率１８％程度に対して、可視領域を透明とすることにより発電効率は低下しているが、電子機器によっては十分に利用可能な発電効率であり、配置面積を大きくすれば発電量が多くなるので、従来から用いられている一般的太陽電池の性能と同等の性能の電子機器を製作できる。
【００１６】
更に、紫外光領域のみでなく、赤外光領域や可視光領域の一部を利用することも考えられるので、可視光領域の光を透過させる透明な太陽電池であっても、今後は一層の発電効率の向上、透明性の向上が期待される。
なお、この発明で、「透明」な太陽電池というときには、可視光領域の少なくとも一部が透過可能で、太陽電池で被覆されている下部の部分が目視で視認できるという意味での透明であり、太陽電池部２６が可視光領域の光を１００％透過させるという意味ではない。
【００１７】
表示部２５には、消費電力の少ないＬＣＤ、発光タイプの有機ＥＬ、電子ペーパー等が用いられる。
この表示部２５は、表示領域とこの表示領域に表示されている表示内容の表示とが電気的的、磁気的に変更可能とされている。
電子ペーパーには、各種の方式のものがあるが、表示書替え時以外は消費電力をほぼゼロとすることが可能であり、ＬＣＤと異なり通電しなくとも表示状態が持続される。
【００１８】
入力部２７には、表示部２５のいずれの表示領域が操作されたか否かを検出すると共に、可視光領域の光を透過させる透明なタッチパネルが用いられている。
このタッチパネルには、静電容量の変化を検出する静電容量方式、押圧による抵抗値の変化を検出する抵抗膜方式等がある。
【００１９】
また、使用環境等に応じて、人の指、ペン、屋外使用、耐久性の重要度等を考慮して、タッチパネルとしていずれの方式を用いるかが決定される。
図５では、入力部２７が表面に設けられているので、人の指で操作するなら、静電容量方式が望ましく、後述するように、透明太陽電池が表面に設けられている場合には、抵抗膜方式等が望ましい。
【００２０】
このように、操作パネル部１５を、筐体１８と、表示部２５と、透明な太陽電池部２６と、入力部２７とから構成し、表示部２５の表面側に太陽電池部２６と入力部２７とをこの順で層をなすように重ねて配置したから、太陽電池部２６の占有面積を大きくとることができる。
また、太陽電池部２６の発生電力により、表示部２５の表示変更と入力部２７への操作の検出との少なくとも一方が実行可能な配置とすることができる。
【００２１】
（実施例２）
図６は本発明の実施例２に係る操作パネル部１５の断面図であって、図４のＡ−Ａ線に沿う断面図である。この図６では、表示部２５の表示面側から入力部２７と太陽電池部２６とがこの順に層をなすように配置されている。
この実施例２の場合、入力部２７がタッチパネルであるので、太陽電池部２６には、ガラス製基板ではなく、可撓性を有する基板を用いるのが望ましい。
【００２２】
（実施例３）
図７は本発明の実施例３に係る操作パネル部１５の断面図である。この実施例３では、表示部２５、太陽電池部２６、入力部２７からなる積層体の背部に、制御部、記憶部、通信部、蓄電部からなる電気制御回路部２８を配設したものである。
電気制御回路部２８は表示部２５、太陽電池部２６、入力部２７にそれぞれ結線されている。
機械的スイッチ部１９、２０を操作パネル部１５に搭載しない構成となるので、表示部２５の背部に電気制御回路部２８を設けたとしても、従来の操作パネル部１５に較べて薄型化を達成できる。
【００２３】
これにより、太陽電池部２６の発生電力により、表示部２５の表示変更と入力部２７への操作の検出との少なくとも一方が実行可能な薄型の単一の電子機器を構成できる。
その記憶部には、表示部２５の表示領域に関する情報と、この表示領域に表示すべき内容に関する情報とからなる表示状態情報が保持又は記憶されている。
制御部は入力部２７による操作の検出と、表示状態情報とに基づいて表示部２５の表示状態を変更する表示制御部として機能する。
【００２４】
その表示制御部は、現在表示されている表示領域の表示内容に対応する操作を入力部２７により検出して、表示状態情報に基づいて表示部２５の表示状態を変更する。
例えば、図４において、コピーボタンを操作すると、表示制御部は現在表示されている表示領域としての中央操作パネル部２４の表示内容をファンクションスイッチから印刷サイズの選択に変更する。
【００２５】
（実施例４）
図８は本発明の実施例４に係る操作パネル部１５の断面図である。この実施例４では、電気制御回路部２８が表示部２５、太陽電池部２６、入力部２７からなる積層体の側面に配置され、電気制御回路部２８は筐体１８の外装表面部１８ａにより隠蔽されている。
この構成によれば、操作パネル部１５に電気制御回路部２８を設ける構成とした場合であっても、表示部２５、太陽電池部２６、入力部２７からなる積層体の背部に電気制御回路部２８を設ける構成に較べて、より一層の薄型化を図ることができる。
【００２６】
（実施例５）
図９は本発明の実施例４に係る操作パネル部１５の断面図である。この実施例５では、筐体１８の外装裏面部１８ｂにより表示部２５が支持されている。
表示部２５がＬＣＤにより構成されている場合、ガラス基板部分の強度により操作圧力に耐えることも可能である。
【００２７】
表示部２５が電子ペーパーにより構成されている場合、太陽電池部２６、タッチパネル式の入力部２７を含めて操作圧力に耐え難いので、筐体１８により支えるのが望ましい。
表示部２５に電子ペーパーを用いた場合、太陽電池部２６とタッチパネル式の入力部２７と表示部２５とからなる積層体に全体として可撓性を与えることができるので、その積層体を支持する外装裏面部１８ｂを平面ではなく、アーチ形状や擂り鉢形状等の面に形成することができることになり、操作性の向上や蛍光灯の映り込みを防ぐこと等の効果が得られる。
【００２８】
（実施例６）
図１０は本発明の実施例６に係る操作パネル部１５の断面図である。この実施例６では、表示部２５が第１表示部２５ａと第２表示部２５ｂとから構成されている。第１表示部２５ａはＬＣＤから構成され、第２表示部２５ｂは電子ペーパーから構成されている。
【００２９】
ＬＣＤは電子ペーパーと比較すると操作時の反応性は良いが、消費電力が多いため、待機時は表示状態のみとするために、消費電力の少ない電子ペーパー表示のみを行うようにする。
すなわち、操作パネル部１５の動作状態では、第１表示部２５ａと第２表示部２５ｂとを動作させ、操作パネル部１５の待機状態のときには、第２表示部２５ｂのみの表示を行い、第２表示部２５ｂに対応する入力部２７の操作者による操作を検出して、第１表示部２５ａと第２表示部２５ｂとを動作させるようにしても良い。
なお、図は省略するが、入力部（タッチパネル）２７も作動領域を分割して、必要領域のみ作動させるようにすると良い。
【００３０】
（実施例７）
図１１は本発明の実施例７に係る操作パネル部１５の断面図である。この実施例７では、実施例６と同様に表示部２５が第１表示部２５ａと第２表示部２５ｂとから構成されている。また、実施例６と同様に、第１表示部２５ａはＬＣＤから構成され、第２表示部２５ｂは電子ペーパーから構成されている。
【００３１】
太陽電池部２６には開口２６ａ穿設され、第１表示部２５ａが入力部２７に直接接触され、第２表示部２５ｂが太陽電池部２６を介して入力部２７に対向している。
この実施例７によれば、第１表示部２５ａが直接第１入力部２７ａに接触しているので、操作者は入力部２７を介して第１表示部２５ａであるＬＣＤを押圧するときには、従来と同等の操作感が得られる。
【００３２】
なお、この実施例７では、第１表示部２５ａに対応する入力部２７を第１入力部２７ａとして、第２表示部２５ｂに対応する入力部２７を第２入力部２７ｂとして、図１１に符号が付されているが、第１入力部２７ａと第２入力部２７ｂとは一体構成でも、別体構成でも構わない。
【００３３】
（実施例８）
図１２は本願発明の実施例８に係る操作パネル部の説明図であって、図１２（ａ）は本願発明に係る操作パネル部１５を電子卓上計算装置（電卓）に適用した実施例を示す平面図であり、図１２（ｂ）は図１２（ａ）のＢ−Ｂ線に沿う断面図である。
その図１２において、操作部２’は図１の操作部２に相当し、太陽電池部２６は図１の太陽電池部３に相当し、表示部２５は表示部４に相当している。
【００３４】
この実施例８では、筐体１８の操作部２’に相当する箇所の内部に電気制御回路部２８が設けられ、この電気制御回路部２８の上面に第２表示部２５ｂとしての電子ペーパが設けられ、この第２表示部２５の表面に透明な太陽電池部２６が設けられ、透明な太陽電池部２６の表面にタッチパネル式の入力部２７が設けられている。また、表示部２５に相当する箇所の内部には太陽電池部２６の裏面側に第１表示部２５ａとしてのＬＣＤが設けられている。
【００３５】
この実施例８に係る電子卓上計算装置では、太陽電池部２６が入力部２７に重ね合わせて配置されているので、図１に示す太陽電池部３の配置スペースが不要となり、その分だけ、電子卓上計算装置の小型化を図ることができる。
【００３６】
なお、図１２では、入力部２７が第１表示部２５ａを被覆しない構成としているが、入力部２７が第１表示部２５ａを被覆する構成とすれば、第１表示部２５ａの表示内容に応じた入力を行わせることもでき、また、操作部２’の表示が電子ペーパーで書替え可能であるので、図１２（ａ）に示す四則計算電卓を高機能な関数電卓等の表示に切り換えることもできる。
【００３７】
（実施例９）
図１３は図２に示す画像形成装置に設けられた操作パネル部１５のブロック回路を示し、図１４はその操作パネルの作用を説明するフローチャートである。
その図１３において、２８’は電気制御回路部である。この電気制御回路部２８’は、制御部２９、蓄電部（電気蓄積部）３０、通信部３１、記憶部３２、第１電力供給スイッチ３３、第２電力供給スイッチ３４を有する。太陽電池部２６の電力は第１電力供給スイッチ３３を介して蓄電部３０に供給される。
記憶部３２は上述の電気制御回路部２８’の記憶部の機能と同一の機能を有する。
【００３８】
その蓄電部３０には画像形成装置１１の本体部１１Ａからの電力が第２電力供給スイッチ３４を介して供給される。
その蓄電部３０の電力は制御部２９に供給される。本体部１１Ａと制御部２９とは通信部３１を介して相互に情報の授受を行うと共に、記憶部３２との間で情報の授受を行う構成とされている。
【００３９】
ここでは、制御部２９は、現在表示されている表示領域の表示内容に対応する操作を入力部２７により検出して、記憶部３２に記憶されている表示状態情報に基づいて表示部２５の表示状態を変更又は制御する。
なお、制御部２９は、現在表示されている表示領域の表示内容に対応する操作を入力部２７により検出して通信部３１を介して本体部１１Ａに送信し、本体部１１Ａからの指令に基づいて表示部２５の表示状態を変更する構成とすることもできる。
【００４０】
その制御部２９は、リセットタイマー（図示を略す）を有する。このリセットタイマーは、操作パネル部１５の非動作状態での蓄電部３０に蓄積されている電力量の自然減少と太陽電池部２６から供給される電力とを考慮してタイマー時間が適宜定められる。
その制御部２９は、図１４に示すように、リセットタイマーがスタートすると、本体部１１Ａからの電力を供給する第２電力供給スイッチ３４をオフ制御し、太陽電池部２６からの電力が蓄電部３０に供給されるように第１電力供給スイッチ３３をオン制御する（Ｓ．１）。
【００４１】
制御部２９は蓄電部３０からの供給電力が第１所定レベル以上の場合は、YESと判定し、第１所定レベル未満の場合は、NOと判定する（Ｓ．２）。制御部２９は蓄電部３０からの供給電力が第１所定レベル以上の場合、本体部１１Ａから電力が蓄電部３０に供給されないように第２電力供給スイッチ３４のオフ状態を維持すると共に、かつ、太陽電池部２６からの電力の蓄電部３０への供給が停止されるように第１電力供給スイッチ３３をオフする（Ｓ．３）。
ここで、第１所定レベルは、蓄電部３０に蓄電されている電力のみで、蓄電部３０への電力供給がなくとも操作パネル部１５を動作させるのに十分な電力状態に対応している。
【００４２】
制御部２９は蓄電部３０からの供給電力が第１所定レベル未満の場合、蓄電部３０からの供給電力が第２所定レベル以上か否かを判断する（Ｓ．４）。制御部２９は蓄電部３０からの供給電力が第２所定レベル以上の場合は、YESと判定し、第２所定レベル未満の場合は、NOと判定する。
ここで、第２所定レベルは、第１所定レベルよりも低いレベルであり、本体部１１Ａから蓄電部３０への電力供給を行わなくとも、太陽電池部２６からの電力供給により操作パネル部１５を動作させるのに十分な電力状態に対応している。
【００４３】
制御部２９は蓄電部３０からの供給電力が第２所定レベル未満の場合、本体部１１Ａと太陽電池部２６との両方から電力が蓄電部３０に供給されるように第１、第２電力供給スイッチ３３、３４の両方をオンする（Ｓ．５）。
太陽電池部２６から蓄電部３０への電力供給のみでは、操作パネル部１５を動作させるのに電力が足りないと判断されるからである。
【００４４】
制御部２９は蓄電部３０からの供給電力が第２所定レベル以上の場合、本体部１１Ａからの電力の蓄電部３０への供給が停止されるように第２電力供給スイッチ３４をオフし、かつ、太陽電池部２６から電力が蓄電部３０へ供給されるように第１電力供給スイッチ３３をオンする（Ｓ．６）。
【００４５】
制御部２９は、Ｓ．３又はＳ．５又はＳ．６の処理を実行後、入力部２７の入力操作の有無、表示部２５の表示内容の変更の有無、通信等の処理動作の有無を判断する（Ｓ．７）。
制御部２９は、入力部２７の操作、表示部２５の表示内容の変更、通信等の処理動作があった場合には、リセットタイマーをクリアし、当該処理動作を続行する（Ｓ．８）。そして、制御部２９は、一定時間が経過するまで待機し（Ｓ．９）、その後、Ｓ．２に戻る。
【００４６】
制御部２９は、入力部２７の操作、表示部２５の表示内容の変更、通信等の処理動作がない場合には、リセットタイマーが所定時間以内か否かを判断し（Ｓ．１０）、ついで、制御部２９は、リセットタイマーが所定時間以内の場合には、Ｓ．９に移行して一定時間が経過するのを待った後、Ｓ．２に移行する。
【００４７】
制御部２９は、リセットタイマーが一定時間を超えた場合には、電力が本体部１１Ａからの電力を供給する第２電力供給スイッチ３４をオフ制御し、太陽電池部２６からの電力が蓄電部３０に供給されるように第１電力供給スイッチ３３をオン制御する（Ｓ．１）。
その制御部２９によるＳ．２、Ｓ．３、Ｓ．７、Ｓ．１０の処理ループは、蓄電部３０に蓄積されている電力のみで操作パネル部１５の動作を実行させることができ、かつ、電力消費が少ない状態に対応している。
【００４８】
この実施例９では、リセットタイマーのスタート直後及びエンド直前に、本体部１１Ａから電力の蓄電部３０への供給が停止され、太陽電池部２６から蓄電部３０へ電力が供給されるように、第１、第２電力供給スイッチ３３、３４をオン・オフ（ON・OFF）制御する構成としているが、これに限るものではなく、例えば、リセットタイマーのスタート直後には蓄電部３０が急速に充電されるように構成しても良い。
なお、蓄電部３０への過充電防止のために、第１、第２電力供給スイッチ３３、３４をＯＮ・ＯＦＦさせるための判断処理を、Ｓ．９の待機中にも行う構成とするのが望ましい。
【００４９】
制御部２９は本体部１１Ａからの指示がなくとも記憶部３２の記憶情報に基づいて表示部２５の表示内容の変更が可能である。
また、制御部２９は入力部２７による入力情報を本体部１１Ａに送信し、本体部１１Ａが制御部２９に表示内容の変更を指示する構成とすることもできる。
その際、表示部２５への表示情報は記憶部３２に記憶されている記憶情報でも良いし、表示部２５へ表示する表示情報自体も本体部１１Ａから送信されたものを用いるようにしても良い。
【００５０】
（実施例１０）
図１５ないし図１７は本発明の実施例に係る操作パネル部の説明図であって、本発明の操作パネル部を電子書籍に適用した例を示す説明図である。
図１５において、符号３５はその電子書籍を示している。この電子書籍３５は、表カバー紙に相当する表カバー体３６と裏カバー紙に相当する裏カバー体３７とから構成されている。
【００５１】
その表カバー体３６と裏カバー体３７とは中央連結部３８を介して回動可能に連結されている。
その表カバー体３６、裏カバー体３７は筐体１８を有し、この筐体１８には図１６に示すように、下から順に表示部２５、太陽電池部２６、入力部２７が配設されている。
中央連結部３８には、制御部２９、蓄電部３０、記憶部３２が設けられる。
その図１５は、図１６に示すその表カバー体３６と裏カバー体３７とを中央連結部３８を介して見開き状態としたものである。
【００５２】
この図１６に示す電子書籍（電子ブック）の場合、読者は表面に存在する入力部２７を指でタッチしてページをめくることができる。
また、図１５に示すように、筐体１８に矢印３９で示す入力部２７を設け、紙面に相当する表面には図１７に示すように入力部２７を設けない構成とすることもできる。
【００５３】
なお、筐体１８は柔軟性を有するフィルム体により構成するのが望ましい。
また、なお、図１５において、裏カバー体３７の入力部２７を通じて見える表示部２５に表示されている文章「矢印を操作してページをめくってください」に対応する矢印は、図１６に示す構成の電子書籍の場合には、表示部２５に符号３９’、３９’で示すように表示される。
【符号の説明】
【００５４】
２５…表示部
２６…太陽電池部
２７…入力部
【先行技術文献】
【特許文献】
【００５５】
【特許文献１】特許３９８３９１１号
【図１】
0005569049.tif 000002
【図２】
0005569049.tif 000003
【図３】
0005569049.tif 000004
【図４】
0005569049.tif 000005
【図５】
0005569049.tif 000006
【図６】
0005569049.tif 000007
【図７】
0005569049.tif 000008
【図８】
0005569049.tif 000009
【図９】
0005569049.tif 000010
【図１０】
0005569049.tif 000011
【図１１】
0005569049.tif 000012
【図１２】
0005569049.tif 000013
【図１３】
0005569049.tif 000014
【図１４】
0005569049.tif 000015
【図１５】
0005569049.tif 000016
【図１６】
0005569049.tif 000017
【図１７】
0005569049.tif 000018